(57)【要約】【課題】無線通信装置内蔵テレビジョン受像機において、リモコンパススルー機能で外部入力機器を操作する場合、専用のリモコンや専用のリモコンキーが必要となり、操作性に問題がある。【解決手段】チューナ側入力切換制御部（１０６）で映像／音声出力する信号を切り換える手段と、モニタ側マイクロコンピュータ（１１２）が、外部入力ごとに外部入力機器のリモコン情報を記憶部（１１３）に格納する手段と、リモコン情報と操作コマンドをモニタ側マイクロコンピュータ（１１２）からモニタ側無線通信部（１１１）とチューナ側無線通信部（１０９）を経由してチューナ側マイクロコンピュータ（１０７）に送信する手段と、チューナ側マイクロコンピュータ（１０７）が前記リモコン情報と操作コマンドからリモコン波形を生成出力する手段を備えることで、少数のリモコンキーで複数の外部入力機器を操作することを可能にする。【選択図】図１
2005333531.tif 000002
【特許請求の範囲】
【請求項１】
チューナ側入力切換制御部で映像／音声出力する信号を切り換える手段と、モニタ側マイクロコンピュータが、外部入力ごとに外部入力機器のリモコン情報を記憶部に格納する手段と、リモコン情報と操作コマンドをモニタ側マイクロコンピュータからモニタ側無線通信部とチューナ側無線通信部を経由してチューナ側マイクロコンピュータに送信する手段と、チューナ側マイクロコンピュータが前記リモコン情報と操作コマンドからリモコン波形を生成出力する手段を備えることを特徴とする無線通信装置内蔵テレビジョン受像機。
【発明の詳細な説明】
【技術分野】
【０００１】
本発明は、無線通信装置内蔵テレビジョン受像機に関し、更に詳しくは、リモコンパススルー機能に関する。
【背景技術】
【０００２】
従来の無線通信装置内蔵テレビジョン受像機のリモコンパススルー機能には、外部入力機器のリモコンをそのまま使用する手法と、外部入力機器のリモコンを使用せずテレビジョン受像機のリモコンを使用してリモコンコード変換を行う手法がある。（例えば、特許文献１参照）。
【特許文献１】特開２００３−２５９４６５号公報
【発明の開示】
【発明が解決しようとする課題】
【０００３】
しかしながら、上記従来のテレビジョン受像機の構成では、外部入力機器の専用リモコンをそのまま使用する手法の場合、テレビジョン受像機用のリモコンと外部入力機器の専用リモコンの２つを持つ必要があるため、操作性に問題があった。さらに、テレビジョン受像機と外部入力機器が別々の部屋にあるときは外部入力機器の専用リモコンを持ち運ぶことになり不便であった。
【０００４】
また、外部入力機器の専用リモコンを使用せずテレビジョン受像機のリモコンを使用してリモコンコード変換を行う手法の場合、外部入力機器ごとの専用リモコンキーを設ける必要があり、キーが多くなることで操作性が悪くなっていた。
【０００５】
本発明は、上記の問題に鑑み、外部入力機器の専用リモコンを使用せずテレビジョン受像機のリモコンを使用してリモコンコード変換を行う手法において、リモコンキーの削減を図ることで、使い勝手の良いリモコンパススルー機能を備えた無線通信装置内蔵テレビジョン受像機を提供することを目的とする。
【課題を解決するための手段】
【０００６】
本発明の請求項１に係る無線通信装置内蔵テレビジョン受像機は、マイクロコンピュータが入力切換制御部で映像／音声出力信号を切り換える手段と、外部入力ごとに外部入力機器のリモコン情報を記憶する手段と、外部機器操作のために入力されたリモコン信号を受信し現在選択している外部入力機器のリモコン出力に変換する手段を備えることで、リモコンパススルーを行うことを特徴とする。
【発明の効果】
【０００７】
本発明により、外部入力ごとに外部入力機器のリモコン情報を記憶して、テレビジョン受像機用のリモコンコードを外部入力ごとに記憶したリモコン情報と操作コマンドに変換することにより、少数のリモコンキーで複数の外部入力機器を操作することが可能となる。
【発明を実施するための最良の形態】
【０００８】
（実施の形態１）
図１は、本発明の実施の形態１に係る無線通信装置内蔵テレビジョン受像機の構成を示すブロック図である。無線通信装置内蔵テレビジョン受像機は、チューナ部１０１とモニタ部１１０から構成される。
【０００９】
チューナ部１０１は、チューナ制御部１０２と、外部入力１部１０３と、外部入力２部１０４と、リモコン出力部１０５と、入力切換制御部１０６と、マイクロコンピュータ１０７と、記憶部１０８及び無線通信部１０９から構成される。
【００１０】
チューナ制御部１０２は、アンテナから入力される地上波放送や衛星放送から映像信号及び音声信号を生成する。外部入力１部１０３、外部入力２部１０４は、ビデオやＤＶＤデッキなどの外部入力機器から映像信号及び音声信号を生成する。リモコン出力部１０５は、マイクロコンピュータ１０７で生成されたリモコン波形信号をＩＲブラスタ１１８から出力する。入力切換制御部１０６は、マイクロコンピュータ１０７からの制御により、チューナ制御部１０２と外部入力１部１０３と外部入力２部１０４からの映像信号及び音声信号の切換を行う。マイクロコンピュータ１０７は、無線通信部１０９からの入力切換情報を受信して入力切換制御部１０６を制御する。また、無線通信部１０９から受信したリモコン情報と操作コマンドに対応をするリモコン波形データを記憶部１０８から読み出し、リモコン出力部１０６に出力する。記憶部１０８は、複数のメーカーのビデオやＤＶＤデッキのリモコン情報と操作コマンドに対応するリモコン波形データを格納しており、マイクロコンピュータ１０７から読み出される。無線通信部１０９は、入力切換制御部１０６からの映像信号及び音声信号を無線通信できる形式にエンコードした後で、無線通信部１１１へ送信する。また、無線通信部１１１からの入力切換情報とリモコン情報と操作コマンドを受信して、マイクロコンピュータ１０７へ出力する。
【００１１】
モニタ部１１０は、無線通信部１１１と、マイクロコンピュータ１１２と、記憶部１１３と、映像／音声出力部１１４及びリモコン受信部１１５から構成される。
【００１２】
無線通信部１１１は、無線通信部１０９からの映像信号及び音声信号をデコードして映像／音声出力部１１４に出力する。また、マイクロコンピュータ１１２から受信した入力切換情報とリモコン情報と操作コマンドを受信して無線通信部１０９に出力する。マイクロコンピュータ１１２は、リモコン受信部１１５から入力切換キーを受信した場合、入力切換情報を無線通信部１１１に出力する。リモコン受信部１１５から外部入力機器操作キーを受信した場合は、記憶部１１３から現在選択している外部入力機器のリモコン情報を読み出し、リモコン情報と操作コマンドを無線通信部１１１に出力する。また、マイクロコンピュータ１１２は外部入力ごとに外部入力機器のリモコン出力情報を設定する手段を持ち、設定した情報を記憶部１１３に出力する。記憶部１１３は、外部入力ごとに外部入力機器のリモコン出力情報を記憶しており、マイクロコンピュータ１１２から読み出される。映像／音声出力部１１４は、無線通信部１１１から入力された映像信号をディスプレイに表示して、音声信号をスピーカから再生する。リモコン受信部１１５は、リモコン信号を受信してマイクロコンピュータ１１２へ出力する。
【００１３】
次に、本実施の形態１による無線通信装置内蔵テレビジョン受像機モニタ部１１０の外部入力ごとに外部入力機器のリモコン情報を設定する手段を図２に示すフローチャートと図３に示すＧＵＩメニューを用いて説明する。
【００１４】
マイクロコンピュータ１１２は、図３に示すようなＩｒシステム設定メニューを映像／音声出力部１１４に出力しディスプレイに表示する。まず、「接続端子」設定項目で、設定したい外部入力を選択する（ステップ２０１）。このとき、設定内容に連動して、入力切換制御を行い、外部入力機器の映像をディスプレイに表示させる。リモコンパススルー機能を使用しない場合は「Ｉｒシステム」設定項目を「オフ」設定し、リモコンパススルー機能を使用する場合は「オン」設定にする（ステップ２０２）。外部入力機器のメーカー名を「メーカー」設定項目で設定した後（ステップ２０３）、「リモコン種別」設定項目でビデオやＤＶＤデッキ、リモコンのモード選択を行う。（ステップ２０４）。
【００１５】
「リモコン種別」設定項目で正しく選択できているか否かを確認するために、テストを行う（ステップ２０５）。テスト中は、外部入力機器の電源オフと電源オンのリモコン出力を繰り返す。実際にディスプレイを通して外部入力機器の電源状態が切り換っていることを確認できれば設定完了するが、外部入力機器の電源状態が切り換っていなければ、ステップ２０４に戻り「リモコン種別」の設定を変更して、再テストを実施する（ステップ２０６）。
【００１６】
また、上記の「Ｉｒシステム」「メーカー」「リモコン種別」の設定内容は、外部入力ごとに記憶部１１３に格納する。
【００１７】
次に、本実施の形態１による無線通信装置内蔵テレビジョン受像機モニタ部１１０の動作を図４に示すフローチャートを用いて説明する。
【００１８】
マイクロコンピュータ１１２はリモコン受信部１１５からの入力を待っている（ステップ４０１）。リモコン入力が発生した場合、外部入力機器操作キーか、入力切換キーかを判断する（ステップ４０２、ステップ４０５）。外部入力機器操作キーの場合、現在選択している外部入力機器のリモコン情報を記憶部１１３から読み出す（ステップ４０３）。読み出されたリモコン情報と外部入力機器操作キーは無線通信を経由してマイクロコンピュータ１０７に送信する（ステップ４０４）。また、リモコン入力が入力切換キーの場合は、入力切換情報をマイクロコンピュータ１０７に送信する（ステップ４０６）。
【００１９】
外部入力機器操作キーは、図６のリモコン本体図の下方に示すように、電源キーと、再生キーと、停止キーと、早送りキー及び巻戻しキーなどの総称である。
【００２０】
最後に、本実施の形態１による無線通信装置内蔵テレビジョン受像機チューナ部１０１の動作を図５に示すフローチャートを用いて説明する。
【００２１】
マイクロコンピュータ１０７はマイクロコンピュータ１１２からのコマンド入力を待っている（ステップ５０１）。コマンド入力が発生した場合、外部入力機器操作情報か、入力切換情報かを判断する（ステップ５０２、ステップ５０５）。外部入力機器操作情報の場合、対応するリモコン波形データを記憶部１０８から読み出す（ステップ５０３）。マイクロコンピュータ１０７は、読み出されたリモコン波形データからリモコン波形を作成し、リモコン出力部１０５へ出力する（ステップ５０４）。また、コマンド入力が入力切換情報の場合は、入力切換制御部１０６に制御データを送信して入力切換処理を行う。（ステップ５０６）。
【産業上の利用可能性】
【００２２】
以上のように、本発明の無線通信装置内蔵テレビジョン受像機によれば、外部入力ごとに外部入力機器のリモコン情報を記憶して、テレビジョン受像機用のリモコンコードを外部入力ごとに記憶したリモコン情報と操作コマンドに変換することにより、少数のリモコンキーで複数の外部入力機器を操作することが可能となる。
【図面の簡単な説明】
【００２３】
【図１】本発明の実施の形態１における無線通信装置内蔵テレビジョン受像機の構成を示すブロック図
【図２】同実施の形態１におけるリモコン情報を設定するためのフローチャート
【図３】同実施の形態１におけるリモコン情報を設定するメニュー表示を示す図
【図４】同実施の形態１におけるモニタ部の動作を示すフローチャート
【図５】同実施の形態１におけるチューナ部の動作を示すフローチャート
【図６】同実施の形態１におけるリモコン本体を示す図
【符号の説明】
【００２４】
１０１    無線通信装置内蔵テレビジョン受像機チューナ部
１０２    チューナ制御部
１０３    外部入力１部
１０４    外部入力２部
１０５    リモコン出力部
１０６    入力切換制御部
１０７    チューナ側マイクロコンピュータ
１０８    チューナ側記憶部
１０９    チューナ側無線通信部
１１０    無線通信装置内蔵テレビジョン受像機モニタ部
１１１    モニタ側無線通信部
１１２    モニタ側マイクロコンピュータ
１１３    モニタ側記憶部
１１４    映像／音声出力部
１１５    リモコン受信部
１１６    外部入力機器１
１１７    外部入力機器２
１１８    ＩＲブラスタ
【図１】
2005333531.tif 000003
【図２】
2005333531.tif 000004
【図３】
2005333531.tif 000005
【図４】
2005333531.tif 000006
【図５】
2005333531.tif 000007
【図６】
2005333531.tif 000008